(57)【特許請求の範囲】
【請求項１】
ヘッド本体のフェース面にフェースインサートを装着したパターヘッドにおいて、
該フェースインサートに、下端部又は下方から上方に切り込まれたスリットが設けられているパターヘッドであって、
前記スリットは、上方ほどパター前方となるように傾斜しており、
前記スリットの高さは前記フェースインサートの高さの６０〜９５％であることを特徴とするパターヘッド。
【請求項２】
請求項１において、前記スリットはフェースインサートの左端から右端まで延在していることを特徴とするパターヘッド。
【請求項３】
請求項１又は２において、前記ヘッド本体の前面に凹部が設けられ、該凹部に前記フェースインサートが配置されており、
該フェースインサートの上下左右の側面と該凹部の周面との間に空隙があいていることを特徴とするパターヘッド。
【請求項４】
請求項１ないし３のいずれか１項において、該スリットに粘弾性材が充填されていることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。
【背景技術】
【０００２】
ゴルフのパターは、主としてグリーン上においてボールをヒットしてボールをカップに向けて転がす用途に用いられるクラブである。特開２００７−１１７６３５には、パターヘッドのフェース面にフェースインサートを装着して打感を柔らかくすることが記載されている。
【０００３】
特開２００１−６２００８には、フェース面の下部に合成樹脂発泡体を一体に設けることによりトップスピンをかけ易くしたパターヘッドが記載されている。しかしながら、合成樹脂発泡体は特性の温度依存性が強いので、気温によってトップスピンのかかり方がかなり変化する。
【先行技術文献】
【特許文献】
【０００４】
【特許文献１】特開２００７−１１７６３５
【特許文献２】特開２００１−６２００８
【発明の概要】
【発明が解決しようとする課題】
【０００５】
本発明は、通常のパターに比べボールを打った時にボールのバックスピンが減少し、ひいては、ボールにトップスピンがかかり易く、かつこのトップスピンのかけ易さの温度依存性が小さいパターヘッドを提供することを目的とする。
【課題を解決するための手段】
【０００６】
請求項１のパターヘッドは、ヘッド本体のフェース面にフェースインサートを装着したパターヘッドにおいて、該フェースインサートに、下端部又は下方から上方に切り込まれたスリットが設けられているパターヘッドであって、前記スリットは、上方ほどパター前方となるように傾斜しており、前記スリットの高さは前記フェースインサートの高さの６０〜９５％であることを特徴とするパターヘッドである。
【０００７】
請求項２のパターヘッドは、請求項１において、前記スリットはフェースインサートの左端から右端まで延在していることを特徴とするものである。
【０００８】
請求項３のパターヘッドは、請求項１又は２において、前記ヘッド本体の前面に凹部が設けられ、該凹部に前記フェースインサートが配置されており、該フェースインサートの上下左右の側面と該凹部の周面との間に空隙があいていることを特徴とするパターヘッドである。
【０００９】
請求項４のパターヘッドは、請求項１ないし３のいずれか１項において、該スリットに粘弾性材が充填されていることを特徴とするものである。
【発明の効果】
【００１０】
本発明のパターヘッドのフェースインサートには、下端部から上方に向って切り込まれた形状のスリットが設けられている。そのため、ボールをヒットしたときにフェースインサートの下部が後退し、バックスピンが減少し、ボールにトップスピンがかかり易いものとなり、ヒットされたボールの直進性が良好となる。
【００１１】
このスリットは、フェースインサートの左端から右端まで延在していることが好ましい。
【００１２】
このスリットに粘弾性材を充填することにより、打球音や、打感の調節を行うことができる。
【図面の簡単な説明】
【００１３】
【図１】（ａ）図は実施の形態に係るパターヘッドの分解斜視図、（ｂ）図はこのパターヘッドの正面図、（ｃ）図は（ｂ）図のＣ−Ｃ線断面図である。
【図２】図１（ａ）のII−II線断面図である。
【図３】粘弾性材を取り除いたフェースインサートの断面図である。
【図４】別の実施の形態に係るパターヘッドのフェースインサートの断面図である。
【図５】図４のフェースインサートから粘弾性材を取り除いた各フェースインサートの断面図である。
【図６】異なる実施の形態に係るパターヘッドの断面図である。
【図７】（ａ）図は、さらに異なる実施の形態に係るパターヘッドの正面図、（ｂ）図は（ａ）図のＢ−Ｂ線断面図である。
【発明を実施するための形態】
【００１４】
以下、図面を参照して実施の形態について説明する。
【００１５】
第１図〜第２図は第１の実施の形態に係るパターヘッド１を示すものである。このパターヘッド１では、ヘッド本体２の前面（フェース面）に凹部２Ｈが設けられ、この凹部２Ｈ内にフェースインサート３が配置されている。この実施の形態では、ヘッド本体２はアルミ合金、チタン合金、銅合金、ステンレスなどの金属製である。フェースインサート３は、ポリエステル、ナイロン、ウレタンなどの合成樹脂又はアルミ合金、銅合金、ステンレスなどの金属よりなる。フェースインサート３の前面と、凹部２Ｈの周囲のヘッド本体２の前面とは面一である。
【００１６】
凹部２Ｈ及びフェースインサート３は、横長の略長方形状である。凹部２Ｈの深さは全体として均一であり、フェースインサート３の厚さも全体として均一である。ただし、部分的に深い箇所及び厚い部位を設けたり、逆に部分的に浅い箇所及び薄い部位を設けてもよい。
【００１７】
フェースインサート３の左右幅及び上下幅は凹部２Ｈよりも若干小さいものとなっており、フェースインサート３の上下左右の側面３Ｓと凹部２Ｈの周面２Ｓとの間には若干の空隙４があいている。この空隙４の幅は０．３〜１．５ｍｍ特に０．４〜１．０ｍｍ程度が好適である。フェースインサート３の大きさは上下幅が１６〜３０ｍｍ特に１８〜２５ｍｍ、左右幅が５０〜１５０ｍｍ特に７０〜１００ｍｍ、厚さが２〜１０ｍｍ特に３〜８ｍｍ程度が好ましいが、これに限定されない。
【００１８】
このフェースインサート３は、第２，３図の通り、下端部から上方に向かってスリット３ａが設けられ、このスリット３ａに粘弾性材３ｂが充填されている。粘弾性材としてはゴム、エラストマー、軟質合成樹脂などが用いられる。
【００１９】
この実施の形態では、スリット３ａは、その下端がフェースインサート３の後面下端部に位置し、上部ほど前方（第２，３図の左方）となるように傾斜（前傾）している。
【００２０】
スリット３ａは、フェースインサート３の左端から右端まで延在している。このため、フェースインサート３は、前面部と後面部とがフェースインサート３の上部でのみ連続した下向き略コ字形状のものとなっている。スリット３ａの角度θ（第３図）は、０°〜＋３５°特に０°〜＋２５°程度が好ましい。スリット３ａの高さは、フェースインサート３の高さの６０〜９５％特に７０〜９０％程度が好ましい。
【００２１】
フェースインサート３は、第２図の左側面がパターのフェース前面となるように凹部２Ｈ内に配置され、反対側が接着剤によって凹部２Ｈの奥壁面に接着される。接着剤としては、エポキシ系接着剤、ゴム系接着剤、両面テープなどが好適であるが、これに限定されない。
【００２２】
このように構成されたパターヘッド１のホゼル部１ｈにシャフトを連結することによりパターが構成される。このパターでパッティング（グリーン上のボールをフェース面で打つこと）すると、ボールをヒットしたときにフェースインサート３の前面側（スリット３ａよりもフェース側）が若干後退することにより、トップスピンがかかり易くなり、ヒットされたボールの直進性が良好となる。
【００２３】
本発明では、第４，５図のフェースインサート１１〜１３のように、スリット１１ａ〜１３ａの傾斜を上記とは異ならせてもよい。第４，５図の（ａ）ではスリット１１ａの前傾が緩くなっており、（ｂ）ではスリット１２ａがほぼ鉛直となっており、（ｃ）ではスリット１３ａの下端部がフェースインサート１３の後面に臨んでいる。
【００２４】
各スリット１１ａ〜１３ａに粘弾性材１１ｂ〜１３ｂが充填されている。ただし、粘弾性材１１ｂ〜１３ｂを省略した第５図（ａ）〜（ｃ）のフェースインサート１１〜１３をヘッド本体２に装着してもよい。なお、スリット１１ａ〜１３ａに粘弾性材を充填すると、ボールをヒットしたときの打球音や打感を調節することができる。
【００２５】
上記実施の形態では、フェースインサートの前面は平坦となっているが、横長の溝を複数本平行に設けてもよい。溝の幅員（上下幅）は０．３〜１．６ｍｍ程度が好適であり、溝の深さは０．０５〜１．１ｍｍ程度が好ましい。
【００２６】
第１図では、フェースインサート３の周囲に空隙４を形成しているが、第６図のようにこの空隙に、ゴム、エラストマー、合成樹脂などの粘弾性材８を配材してもよい。また、第７図のパターヘッド１’のように、空隙４が生じないようにフェースインサート３を凹部２Ｈにぴったりと嵌まるように構成してもよい。
【００２７】
第６，７図のその他の構成は第１図と同様であり、同一符号は同一部分を示している。なお、フェースインサート３の側面３Ｓと凹部２Ｈの周面２Ｓとの間に空隙４や粘弾性材８を設けると、フェースインサートに残留応力が生じることがなく、フェースインサートの反発特性は設計通りになるという効果が得られる。
【符号の説明】
【００２８】
１，１’  パターヘッド
２  ヘッド本体
２Ｈ  凹部
３，１１〜１３  フェースインサート
３ａ，１１ａ〜１３ａ  スリット
３ｂ，１１ｂ〜１３ｂ  粘弾性材
【図１】
0005617383.tif 000002
【図２】
0005617383.tif 000003
【図３】
0005617383.tif 000004
【図４】
0005617383.tif 000005
【図５】
0005617383.tif 000006
【図６】
0005617383.tif 000007
【図７】
0005617383.tif 000008